(57)【要約】【課題】携帯型コンテンツ記録装置に蓄積されたコンテンツを外部表示装置により再生する際の、コンテンツのナビゲーション操作を効率的かつ効果的に実現する。【解決手段】外部表示装置２００と通信可能な携帯型コンテンツ記録装置１００は、コンテンツおよびコンテンツリストを含むコンテンツ関連情報を記憶する記録部１３０と、ユーザの操作を受け付けるユーザインタフェース部１１０と、ユーザインタフェース部１１０によって受け付けられたユーザの操作に関する操作情報を外部表示装置２００に送信させると同時に、操作情報に対応するコンテンツ関連情報を外部表示装置２００に送信させる制御部１２０とを有する。【選択図】図１
2010087773.tif 000002
【特許請求の範囲】
【請求項１】
外部表示装置と通信可能な携帯型コンテンツ記録装置であって、
コンテンツおよびコンテンツリストを含むコンテンツ関連情報を記憶するコンテンツ関連情報記憶部と、
ユーザの操作を受け付けるユーザインタフェース部と、
前記ユーザインタフェース部によって受け付けられたユーザの操作に関する操作情報を前記外部表示装置に送信させると同時に、前記操作情報に対応する前記コンテンツ関連情報を前記外部表示装置に送信させる制御部と、
を有する携帯型コンテンツ記録装置。
【請求項２】
前記制御部は、ＤＬＮＡ（Digital Living Network Alliance）またはＨＤＭＩ（High-Definition Multimedia Interface）により、前記外部表示装置と相互接続可能である、請求項１記載の携帯型コンテンツ記録装置。
【請求項３】
前記操作情報は、前記外部表示装置に表示される電子コンテンツ案内（ＥＣＧ）画面におけるコンテンツのナビゲーションに関するユーザの操作内容を示す情報である、
請求項１記載の携帯型コンテンツ記録装置。
【請求項４】
前記コンテンツは、コンテンツそのものに加えて当該コンテンツそのもののサムネイルおよび／またはプレビューを含み、
前記コンテンツリストは、少なくとも、コンテンツＩＤ、サムネイルアドレスおよび／またはプレビューアドレス、ならびにコンテンツアドレスを含む、
請求項１記載の携帯型コンテンツ記録装置。
【発明の詳細な説明】
【技術分野】
【０００１】
本発明は、記録したコンテンツを外部装置に転送・制御する携帯型コンテンツ記録装置に関する。
【背景技術】
【０００２】
近年、テレビ（ＴＶ）などの家庭用ＡＶ（Audio and Visual）機器のネットワーク化が進み、異なるメーカー間の機器の相互接続を容易にするための方式が規格化されている（例えば、ＤＬＮＡ：Digital Living Network Alliance、非特許文献１および非特許文献２参照）。ＤＬＮＡは、ＰＣ／家電／モバイルデバイスなどの間において相互の接続性を実現させるための機器間ネットワークに関する標準規格である。
【０００３】
このような方式では、例えば、携帯型映像記録装置（携帯型コンテンツ記録装置）に蓄積された映像コンテンツを、テレビなどの外部の映像表示装置（以下「外部表示装置」ともいう）を用いてナビゲーションする場合、リモートユーザインタフェース（リモートＵＩ）の技術が利用される。
【０００４】
現在、携帯型映像記録装置に蓄積された映像コンテンツを外部表示装置に表示して視聴する際の、携帯型映像記録装置に蓄積された映像コンテンツのナビゲーションに関する従来技術として、例えば、図６に示す２つの方法が知られている。
【０００５】
図６（Ａ）に示す方法（以下「従来技術１」という）は、携帯型映像記録装置１０を、赤外線通信（例えば、ＩｒＤＡ：InfraRed Data Association）などを用いて外部表示装置２０の外部入力に接続する方法である。また、図６（Ｂ）に示す方法（以下「従来技術２」という）は、携帯型映像記録装置３０と外部表示装置４０とを上記ＤＬＮＡやＨＤＭＩ（High-Definition Multimedia Interface）などで接続し、外部表示装置４０から上記リモートユーザインタフェースを用いて映像コンテンツのナビゲーションを行う方法である。従来技術２の場合、ユーザの操作は、外部表示装置４０のリモートコントロール装置（以下単に「リモコン」ともいう）５０を通じて行われる。
【０００６】
従来技術１では、例えば、図７に示すように、携帯型映像記録装置（以下単に「携帯録画装置」という）１０は、ユーザの操作を受け付けるユーザインタフェース部１１と、コンテンツおよびコンテンツリストを管理するコンテンツ管理部１２と、コンテンツおよびコンテンツリストを記憶する記録部１３と、映像表示装置（外部表示装置）２０と通信を行うための通信部１４とを有する。携帯録画装置１０は、ＥＣＧ（Electronic Contents Guide：電子コンテンツ案内）機能を備えている。また、映像表示装置２０は、携帯録画装置１０と通信を行うための通信部２１と、各部を制御する制御部２２と、コンテンツの再生を制御する再生制御部２３と、コンテンツを表示する表示部２４とを有する。
【０００７】
図８は、従来技術１において、携帯録画装置１０に蓄積された映像コンテンツをナビゲーションにより映像表示装置２０に表示する際の処理手順を示すシーケンス図である。
【０００８】
まず、ユーザが携帯録画装置１０のユーザインタフェース部１１を操作してＥＣＧ機能を選択すると、ユーザインタフェース部１１は、その選択操作を受け付けてＥＣＧ表示要求をコンテンツ管理部１２に送る（Ｓ１０）。そして、コンテンツ管理部１２は、記録部１３にコンテンツリストを要求し（Ｓ１１）、記録部１３は、要求されたコンテンツリストをコンテンツ管理部１２に送る（Ｓ１２）。そして、コンテンツ管理部１２は、受け取ったコンテンツリストを用いて、ＥＣＧのメニュー画面（以下単に「ＥＣＧ画面」ともいう）をユーザインタフェース部１１に表示させる（Ｓ１３）。そして、ユーザがＥＣＧ画面から所望の映像コンテンツを選択しその再生を指示する。このとき、ユーザインタフェース部１１は、ユーザにより選択された映像コンテンツに関する情報をコンテンツ管理部１２に送り（Ｓ１４）、コンテンツ管理部１２は、選択された映像コンテンツを記録部１３に要求する（Ｓ１５）。そして、記録部１３は、要求された映像コンテンツを通信部１４に送り（Ｓ１６）、通信部１４は、送られてきた映像コンテンツを赤外線通信（例えば、ＩｒＤＡ）により映像表示装置２０に送出する（Ｓ１７）。そして、映像表示装置２０の通信部２１は、携帯録画装置１０から送出された映像コンテンツを受信すると（Ｓ１７）、受信した映像コンテンツを再生制御部２３に送る（Ｓ１８）。そして、再生制御部２３は、受け取った映像コンテンツを表示部２４に表示させる（Ｓ１９）。
【０００９】
一方、従来技術２では、例えば、図９に示すように、携帯型映像記録装置（以下単に「携帯録画装置」という）３０は、リモートＵＩ部３１と、コンテンツおよびコンテンツリストを記憶する記録部３２と、外部表示装置４０と通信を行うための通信部３３とを有する。リモートＵＩ部３１は、映像表示装置（外部表示装置）４０経由で操作され、ユーザによって直接操作されない。また、映像表示装置４０は、ＥＣＧ機能のほかに、ＤＬＮＡやＨＤＭＩなどの機能を備えている。映像表示装置４０は、リモートコントロール装置（リモコン）５０と通信を行うためのリモートコントロール部４１と、携帯録画装置３０と通信を行うための通信部４２と、リモートコントロール装置５０と携帯録画装置３０とを連携させる機器連携部４３と、コンテンツの再生を制御する再生制御部４４と、コンテンツを表示する表示部４５とを有する。また、ユーザの操作は、リモートコントロール装置５０によって受け付けられる。リモートコントロール装置５０は、映像表示装置４０の付属品である。
【００１０】
図１０は、従来技術２において携帯録画装置３０に蓄積された映像コンテンツ（例えば、プレビュー）をナビゲーションにより映像表示装置４０に表示する際の処理手順を示すシーケンス図である。
【００１１】
まず、ユーザがリモートコントロール装置５０を操作してＥＣＧ機能を選択すると、リモートコントロール装置５０は、その選択操作を受け付けてＥＣＧ表示要求を映像表示装置４０のリモートコントロール部４１に送出する（Ｓ２０）。そして、リモートコントロール部４１は、受信したＥＣＧ表示要求を機器連携部４３に送る（Ｓ２１）。そして、機器連携部４３は、順に映像表示装置４０の通信部４２ならびに携帯録画装置３０の通信部３３およびリモートＵＩ部３１を介して、携帯録画装置３０の記録部３２にコンテンツリストを要求する（Ｓ２２、Ｓ２３、Ｓ２４、Ｓ２５）。そして、記録部３２は、要求されたコンテンツリストを、今度は逆に、順に携帯録画装置３０のリモートＵＩ部３１および通信部３３ならびに映像表示装置４０の通信部４２を介して、映像表示装置４０の機器連携部４３に送る（Ｓ２６、Ｓ２７、Ｓ２８、Ｓ２９）。そして、機器連携部４３は、受け取ったコンテンツリストを用いて、ＥＣＧ画面を表示部４５に表示させ（Ｓ３０）、かつ、ＥＣＧ画面を構成するプレビュー（動画サムネイル）の再生要求を再生制御部４４に送る（Ｓ３１）。そして、再生制御部４４は、そのプレビュー再生要求を、順に映像表示装置４０の通信部４２ならびに携帯録画装置３０の通信部３３およびリモートＵＩ部３１を介して、携帯録画装置３０の記録部３２に転送する（Ｓ３２、Ｓ３３、Ｓ３４、Ｓ３５）。そして、記録部３２は、要求されたプレビューを、今度は逆に、順に携帯録画装置３０のリモートＵＩ部３１および通信部３３ならびに映像表示装置４０の通信部４２を介して、映像表示装置４０の再生制御部４４に送る（Ｓ３６、Ｓ３７、Ｓ３８、Ｓ３９）。そして、再生制御部４４は、受け取ったプレビューを表示部４５に表示させる（Ｓ４０）。例えば、ＥＣＧ画面に複数のプレビューがある場合、各プレビューに対して、Ｓ３１〜Ｓ４０の一連の処理が繰り返される。そして、ユーザがＥＣＧ画面から所望の操作（例えば、コンテンツの再生や停止など）を指示する。このとき、リモートコントロール装置５０は、そのＥＣＧ操作を受け付けてそのＥＣＧ操作情報を映像表示装置４０のリモートコントロール部４１に送出する（Ｓ４１）。そして、リモートコントロール部４１は、受信したＥＣＧ操作情報を機器連携部４３に送る（Ｓ４２）。
【非特許文献１】Digital Living Network Alliance (DLNA) Home Networked Device Interoperability Guidelines v1.5
【非特許文献２】UPnP Standards MediaServer V2.0 and MediaRenderer V2.0
【発明の開示】
【発明が解決しようとする課題】
【００１２】
しかしながら、上記した従来技術１においては、携帯型映像記録装置（携帯録画装置）と外部表示装置（映像表示装置）との間のインタフェースがビデオインタフェースである。このため、携帯型映像記録装置は、外部表示装置の外部入力を選択してその外部入力にデータを出力するのみである。したがって、外部表示装置に表示される映像は、携帯型映像記録装置の画面の単なるハードコピーである。このため、従来技術１では、ナビゲーション時の画面の画質も含めて操作性が良くないという問題がある。
【００１３】
一方、上記した従来技術２においては、携帯型映像記録装置（携帯録画装置）によって外部表示装置（映像表示装置）を制御することはできず、外部表示装置を直接に制御するためのリモートコントロール装置が別途必要である。
【００１４】
また、従来技術２においては、リモートコントロール装置と外部表示装置とは直接に通信することができないため、図１０によく示すように、リモートコントロール装置からの各種操作は、外部表示装置経由で携帯型映像記録装置に伝えられる。したがって、例えば、映像コンテンツの再生や停止などの処理（制御）も外部表示装置経由で行われるため、信号のやり取りの手順が多くなりがちであり、映像コンテンツの再生切り替え、例えば、ナビゲーション時のプレビュー映像（動画）の再生切り替えに時間がかかる。すなわち、ナビゲーションにおける映像コンテンツのプレビューにおいて、ユーザの操作に対して、瞬時に映像コンテンツが切り替わらないことがある。なお、プレビュー（動画サムネイル）以外にも、例えば、静止画のサムネイルであっても、それを大画面のハイビジョン表示装置に綺麗に表示するためには、大きなデータ量が必要であり、同様の問題が生じる。
【００１５】
なお、サムネイルが動画であれ静止画であれ、大きなデータ量のサムネイルを高速に切り替えるためには、例えば、画像の先読み（転送）などが必要であり、従来の方法では、対応不可能である。
【００１６】
近年、携帯型映像記録装置における記録容量の増大や、ＵＷＢ（Ultra Wide Band：超広帯域無線）などの高速無線伝送方式の確立による、蓄積装置と表示装置間の高品位（ＨＤ：High Definition）無線伝送の実現などには、特に目を見張るものがある。
【００１７】
このような状況の下、近年、特に、次のような要望、つまり、第１に、携帯型映像記録装置に蓄積された映像コンテンツを外部表示装置（例えば、大画面で高精細なテレビ）で視聴したいという要望、第２に、携帯型映像記録装置には膨大な数の映像コンテンツが蓄積可能であるため、映像コンテンツのナビゲーションも、外部表示装置を介して最適に行いたいという要望、第３に、ナビゲーションのための操作は携帯型映像記録装置を用いて行いたい（別途リモコンなどを用いたくない）という要望が増えている。
【００１８】
しかしながら、上記した従来技術１、２では、このような要望に対応することができない。
【００１９】
本発明は、こうした従来の問題点を解決するものであり、携帯型コンテンツ記録装置に蓄積されたコンテンツを外部表示装置により再生する際の、コンテンツのナビゲーション操作を効率的かつ効果的に実現することができる携帯型コンテンツ記録装置を提供することを目的とする。
【課題を解決するための手段】
【００２０】
本発明の携帯型コンテンツ記録装置は、外部表示装置と通信可能な携帯型コンテンツ記録装置であって、コンテンツおよびコンテンツリストを含むコンテンツ関連情報を記憶するコンテンツ関連情報記憶部と、ユーザの操作を受け付けるユーザインタフェース部と、前記ユーザインタフェース部によって受け付けられたユーザの操作に関する操作情報を前記外部表示装置に送信させると同時に、前記操作情報に対応する前記コンテンツ関連情報を前記外部表示装置に送信させる制御部と、を有する構成を採る。
【発明の効果】
【００２１】
本発明によれば、携帯型コンテンツ記録装置に蓄積されたコンテンツを外部表示装置により再生する際の、コンテンツのナビゲーション操作を効率的かつ効果的に実現することができる。
【発明を実施するための最良の形態】
【００２２】
以下、本発明の実施の形態について、図面を参照して詳細に説明する。
【００２３】
図１は、本発明の一実施の形態に係る携帯型コンテンツ記録装置を含むコンテンツ再生システムの一例を示すブロック図である。なお、ここでは、コンテンツとして、主に映像コンテンツを例にとって説明するため、携帯型コンテンツ記録装置を携帯型映像記録装置（以下単に「携帯録画装置」ともいう）と、外部表示装置を映像表示装置と、それぞれ呼ぶことにする。
【００２４】
図１に示すコンテンツ再生システムは、携帯録画装置１００と映像表示装置２００を有する。携帯録画装置１００と映像表示装置２００とは、例えば、ＤＬＮＡやＨＤＭＩなどで接続可能である。本実施の形態では、携帯録画装置１００に蓄積された映像コンテンツを映像表示装置２００に出力して視聴することができる。しかも、その際、携帯録画装置１００に蓄積された映像コンテンツのナビゲーション（プレビュー映像の再生切り替えを含む）を含む各種操作を、携帯録画装置１００から行うことができる。
【００２５】
携帯録画装置１００は、携帯型のコンテンツ記録装置であって、ユーザインタフェース部１１０、制御部１２０、記録部１３０、および通信部１４０を有する。
【００２６】
ユーザインタフェース部１１０は、ユーザの操作を受け付けて操作情報を生成する。生成された操作情報は、制御部１２０に送られる。操作情報の具体例は、後述する。
【００２７】
制御部１２０は、各部を制御する機能を有するほかに、コンテンツ管理機能および操作情報管理機能を有する。コンテンツ管理機能は、後述するコンテンツ関連情報を管理する機能であって、コンテンツ管理部１２２によって実現される。コンテンツ管理機能は、映像コンテンツのメタデータを基に、コンテンツリストを作成・更新する機能を含んでいる。また、操作情報管理機能は、ユーザの操作情報を管理する機能であって、操作情報管理部１２４によって実現される。
【００２８】
記録部１３０は、映像コンテンツを記憶するコンテンツ記憶部１３２と、コンテンツリストを記憶するコンテンツリスト記憶部１３４と、操作情報を記憶する操作情報記憶部１３６とを有する。本明細書では、映像コンテンツおよびコンテンツリストを総称してコンテンツ関連情報と呼ぶことにする。
【００２９】
ここで、映像コンテンツは、映像を含む任意のコンテンツを広く意味し、映像コンテンツそのものに加えて映像コンテンツのサムネイルおよびプレビュー用の映像コンテンツ（プレビュー映像）を含んでいる。サムネイルおよびプレビュー映像は、ともに、選択された映像コンテンツの概要をユーザに示すものであり、動画であっても静止画であってもよい。ただし、通常、プレビューと動画サムネイルは、同じものを指している。また、サムネイルおよびプレビュー映像は、映像コンテンツのメタデータとして取得したものであっても、取得した映像コンテンツから自動的に作成したものであってもよい。例えば、動画サムネイルは、映像コンテンツとは別に持っていてもよいし、映像コンテンツの一部をサムネイルとして再生（転送）してもよい。なお、本発明において、映像コンテンツの取得方法は、特に限定されない。
【００３０】
図２は、本実施の形態におけるコンテンツリストの一例を示す図である。
【００３１】
図２の例では、コンテンツリスト１５０は、コンテンツＩＤ１５１、映像コンテンツのタイトル名１５２、映像コンテンツのサムネイルのアドレス１５３、映像コンテンツのプレビュー映像のアドレス１５４、および映像コンテンツのアドレス１５５で構成されている。上記のように、コンテンツリスト１５０は、制御部１２０のコンテンツ管理部１２２によって、映像コンテンツのメタデータを基に作成・更新される。
【００３２】
操作情報は、ユーザによる現在の具体的な操作内容を示す情報である。例えば、操作情報は、「次」、「前」、「上」、「下」、「左」、「右」、「選択」、および「画面切り替え」などの操作項目で構成されている。上記のように、操作情報は、ユーザインタフェース部１１０によって、ユーザによる具体的な操作を基に生成される。
【００３３】
図３は、ＥＣＧ画面の一例を示す図であり、特に、図３（Ａ）は、プレビュー画面表示の一例を示す図、図３（Ｂ）は、全画面表示の一例を示す図である。
【００３４】
図３（Ａ）に示すプレビュー画面１６０では、例えば、プレビュー映像（動画）の表示領域１６１の左側の上下方向に、複数（ここでは、５つ）のコンテンツサムネイル（静止画）の表示領域１６２−１、１６２−２、１６２−３、１６２−４、１６２−５が設けられている。５つのコンテンツサムネイル表示領域１６２−１〜１６２−５のうち、ポインタ１６３で示された表示領域には、選択されたプレビュー映像のサムネイル（静止画）が表示される。一番上側のコンテンツサムネイル表示領域１６２−１の上部には、「上」への操作を示す表示１６４が設けられ、一番下側のコンテンツサムネイル表示領域１６２−５の下部には、「下」への操作を示す表示１６５が設けられている。なお、コンテンツサムネイルは、静止画に限定されず、動画であってもよい。
【００３５】
図３（Ｂ）に示す全画面１７０では、例えば、選択された映像コンテンツ（動画）の表示領域１７１が画面全体にわたって比較的大きく設けられている。なお、プレビュー画面１６０と全画面１７０との間の画面切り替えは、ユーザの操作によって行われる。
【００３６】
一例として、図３（Ａ）のプレビュー画面１６０の場合、操作情報は、「上」、「下」、「選択」、および「画面切り替え」の操作項目で構成されている。
【００３７】
また、図示しないが、制御部１２０は、操作に同期してポインタ１６３の位置管理（つまり、コンテンツリストのどの位置にポインタ１６３が存在するかの管理）を行うようになっている。
【００３８】
通信部１４０は、外部の映像表示装置２００と通信を行うためのインタフェースである。好ましくは、通信部１４０は、高速無線インタフェースで構成されている。
【００３９】
一方、映像表示装置２００は、テレビなどの映像表示装置であって、通信部２１０、ブラウザ部２２０、再生制御部２３０、および表示部２４０を有する。映像表示装置２００は、ＥＣＧ機能のほかに、ＤＬＮＡやＨＤＭＩなどの機能を備えている。また、映像表示装置２００は、好ましくは、大画面で高精細なテレビである。
【００４０】
通信部２１０は、外部の携帯録画装置１００と通信を行うためのインタフェースである。好ましくは、通信部２１０は、高速無線インタフェースで構成されている。
【００４１】
ブラウザ部２２０は、ＥＣＧ機能を実現するためのソフトウエアであって、デジタル放送番組だけでなくインターネット上に配信・蓄積されている映像コンテンツも含めて検索し、視聴または予約録画する機能を有する。
【００４２】
再生制御部２３０は、映像コンテンツの再生を制御する機能を有する。
【００４３】
表示部２４０は、映像コンテンツを表示する。
【００４４】
図４は、本実施の形態において、携帯録画装置１００に蓄積された映像コンテンツ（サムネイルおよびプレビュー映像を含む）を、ナビゲーションにより映像表示装置２００に表示する際の処理手順を示すシーケンス図である。
【００４５】
まず、ユーザは、携帯録画装置１００のユーザインタフェース部１１０を操作してＥＣＧ機能を選択する。このとき、ユーザインタフェース部１１０は、その選択操作を受け付けてＥＣＧ表示要求を制御部１２０に送る（Ｓ１００）。
【００４６】
そして、制御部１２０は、ユーザインタフェース部１１０からＥＣＧ表示要求を受け取ると、受け取ったＥＣＧ表示要求を通信部１４０に転送する（Ｓ１０１）。そして、これ同時に、制御部１２０は、記録部１３０にコンテンツリストおよびコンテンツサムネイルを要求する（Ｓ１０２）。
【００４７】
そして、通信部１４０は、制御部１２０からＥＣＧ表示要求を受け取ると、受け取ったＥＣＧ表示要求を映像表示装置２００の通信部２１０に送出する（Ｓ１０３）。そして、通信部２１０は、受信したＥＣＧ表示要求をブラウザ部２２０に送る（Ｓ１０４）。
【００４８】
一方、記録部１３０は、要求されたコンテンツリストおよびコンテンツサムネイルを通信部１４０に送る（Ｓ１０５）。そして、通信部１４０は、記録部１３０からコンテンツリストおよびコンテンツサムネイルを受け取ると、受け取ったコンテンツリストおよびコンテンツサムネイルを映像表示装置２００の通信部２１０に送出する（Ｓ１０６）。そして、通信部２１０は、受信したコンテンツリストおよびコンテンツサムネイルをブラウザ部２２０に送る（Ｓ１０７）。
【００４９】
そして、ブラウザ部２２０は、通信部２１０からＥＣＧ表示要求ならびにコンテンツリストおよびコンテンツサムネイルを受け取ると、受け取ったコンテンツリストおよびコンテンツサムネイルを用いて、ＥＣＧ画面を表示部２４０に表示させる（Ｓ１０８）。
【００５０】
このように、ステップＳ１０１、Ｓ１０３、およびＳ１０４の一連の処理と、ステップＳ１０２、Ｓ１０５、Ｓ１０６、およびＳ１０７の一連の処理とは、同時に並行して行われる。すなわち、ＥＣＧ表示要求という制御関係の情報と、コンテンツリストおよびコンテンツサムネイルというコンテンツ関係の情報とが同時に並行して送られる。
【００５１】
上記ステップＳ１００〜Ｓ１０８の一連の処理により、ＥＣＧ画面として、例えば、図３（Ａ）に示すプレビュー画面１６０の一部が、映像表示装置２００の表示部２４０に表示される。
【００５２】
その後、ユーザが携帯録画装置１００のユーザインタフェース部１１０を操作して映像コンテンツのナビゲーション／選択操作を行う。このとき、ユーザインタフェース部１１０は、そのナビゲーション／選択操作を受け付けて当該操作情報を制御部１２０に送る（Ｓ１０９）。
【００５３】
そして、制御部１２０は、ユーザインタフェース部１１０から操作情報を受け取ると、受け取った操作情報を通信部１４０に転送する（Ｓ１１０）。そして、これと同時に、制御部１２０は、当該操作情報がプレビュー映像の選択または映像コンテンツの選択の場合には、操作に対応するプレビュー映像または映像コンテンツを記録部１３０に要求する（Ｓ１１１）。
【００５４】
そして、通信部１４０は、制御部１２０から操作情報を受け取ると、受け取った操作情報を映像表示装置２００の通信部２１０に送出する（Ｓ１１２）。そして、通信部２１０は、受信した操作情報を再生制御部２３０に送る（Ｓ１１３）。
【００５５】
一方、記録部１３０は、要求されたプレビュー映像または映像コンテンツを通信部１４０に送る（Ｓ１１４）。そして、通信部１４０は、記録部１３０からプレビュー映像または映像コンテンツを受け取ると、受け取ったプレビュー映像または映像コンテンツを映像表示装置２００の通信部２１０に送出する（Ｓ１１５）。そして、通信部２１０は、受信したプレビュー映像または映像コンテンツを再生制御部２３０に送る（Ｓ１１６）。
【００５６】
そして、再生制御部２３０は、通信部２１０から操作情報、および、プレビュー映像または映像コンテンツを受け取ると、受け取ったプレビュー映像または映像コンテンツを表示部２４０に表示させる（Ｓ１１７）。例えば、図３（Ａ）に示すプレビュー画面１６０においては、ユーザにより選択されたプレビュー映像が表示され、図３（Ｂ）に示す全画面１７０においては、ユーザにより選択された映像コンテンツが表示される。
【００５７】
このように、ユーザによりプレビュー映像または映像コンテンツの選択が行われた場合には、ステップＳ１１０、Ｓ１１２、およびＳ１１３の一連の処理と、ステップＳ１１１、Ｓ１１４、Ｓ１１５、およびＳ１１６の一連の処理とは、同時に並行して行われる。すなわち、操作情報という制御関係の情報と、プレビュー映像または映像コンテンツというコンテンツ関係の情報とが同時に並行して送られる。
【００５８】
このように、本実施の形態によれば、携帯録画装置１００の操作情報を映像表示装置２００に送信すると同時に、操作に対応するコンテンツ関連情報（映像コンテンツおよびコンテンツリストを含む）も映像表示装置２００に送信する。このため、映像表示装置２００において特別の処理を行わなくても、ナビゲーション（プレビュー映像の切り替えなど映像コンテンツの再生切り替えを含む）を高速に行うことができる。また、携帯録画装置１００は操作情報を映像表示装置２００に送信するため、映像表示装置２００に適したユーザインタフェースを実現することができる。このため、ユーザは、携帯録画装置１００を操作することにより、映像表示装置２００に適したユーザインタフェースを用いてナビゲーション操作を行うことができる。
【００５９】
すなわち、本実施の形態によれば、携帯録画装置１００に蓄積された映像コンテンツを映像表示装置２００により視聴する際の、映像コンテンツのナビゲーション操作を効率的かつ効果的に実現することができる。
【００６０】
図５は、本実施の形態におけるコンテンツ再生システムの利用イメージを示す概略図である。
【００６１】
図５において、携帯録画装置１００は、大量の映像コンテンツを蓄積しており、携帯録画装置１００に適したユーザインタフェースと画質を得ることができる。しかも、ユーザは、映像表示装置２００のリモコンを使用せずに、映像表示装置２００を見ながら、携帯録画装置１００を用いて映像コンテンツのナビゲーション操作を行うことができる。
【００６２】
一方、映像表示装置２００では、携帯録画装置１００に蓄積された映像コンテンツのサムネイルおよびプレビュー映像を表示することができ、しかも、その際、映像表示装置２００に適したユーザインタフェースと画質を得ることができる。
【産業上の利用可能性】
【００６３】
本発明に係る携帯型コンテンツ記録装置は、携帯型コンテンツ記録装置に蓄積されたコンテンツを外部表示装置により再生する際の、コンテンツのナビゲーション操作を効率的かつ効果的に実現することができる携帯型コンテンツ記録装置として有用である。
【図面の簡単な説明】
【００６４】
【図１】本発明の一実施の形態に係る携帯型コンテンツ記録装置を含むコンテンツ再生システムの一例を示すブロック図
【図２】本実施の形態におけるコンテンツリストの一例を示す図
【図３】本実施の形態におけるＥＣＧ画面の一例を示す図であり、特に、（Ａ）は、プレビュー画面表示の一例を示す図、（Ｂ）は、全画面表示の一例を示す図
【図４】本実施の形態において携帯録画装置に蓄積された映像コンテンツ（サムネイルおよびプレビュー映像を含む）をナビゲーションにより映像表示装置に表示する際の処理手順を示すシーケンス図
【図５】本実施の形態におけるコンテンツ再生システムの利用イメージを示す概略図
【図６】（Ａ）従来技術１を示す概略図、（Ｂ）従来技術２を示す概略図
【図７】従来技術１のシステムを示す構成図
【図８】従来技術１において携帯録画装置に蓄積された映像コンテンツをナビゲーションにより映像表示装置に表示する際の処理手順を示すシーケンス図
【図９】従来技術２のシステムを示す構成図
【図１０】従来技術２において携帯録画装置に蓄積された映像コンテンツ（例えば、プレビュー）をナビゲーションにより映像表示装置に表示する際の処理手順を示すシーケンス図
【符号の説明】
【００６５】
１００  携帯録画装置（携帯型映像記録装置、携帯型コンテンツ記録装置）
１１０  ユーザインタフェース部
１２０  制御部
１２２  コンテンツ管理部
１２４  操作情報管理部
１３０  記録部
１３２  コンテンツ記憶部
１３４  コンテンツリスト記憶部
１３６  操作情報記憶部
１４０、２１０  通信部
２００  映像表示装置（外部表示装置）
２２０  ブラウザ部
２３０  再生制御部
２４０  表示部
【図１】
2010087773.tif 000003
【図２】
2010087773.tif 000004
【図３】
2010087773.tif 000005
【図４】
2010087773.tif 000006
【図５】
2010087773.tif 000007
【図６】
2010087773.tif 000008
【図７】
2010087773.tif 000009
【図８】
2010087773.tif 000010
【図９】
2010087773.tif 000011
【図１０】
2010087773.tif 000012